(57)【要約】【課題】蒸気を充満させた閉鎖空間に頭部を挿入して行う施術について、コストの高騰を伴うことなく洗髪姿勢のままでも簡易に実施できるようにする。【解決手段】使用者が椅子を倒した仰臥姿勢で後頭部側を挿入したシャンプーボウル内に蒸気を充満させて所定の施術を行う際に用いるシャンプークロス１であって、少なくともシャンプーボウルの開口部を覆うことのできる形状の防水性シートの所定位置に顔の輪郭と略同一サイズに開口して使用者の顔を露出させるための顔穴３ａが設けられてなる蒸気封止シート３が、シャンプークロス本体２の所定位置にその一部を接続されており使用者の頭髪生え際に沿って顔穴周縁部３２を密着させながら顔を外部に露出させた状態でシャンプーボウルの開口部を上から覆って封止するものとして、シャンプーボウル内の蒸気が外部に漏出することを防止または減少させるものとした。【選択図】図１
0003122766.tif 000002
【実用新案登録請求の範囲】
【請求項１】
使用者が椅子を倒した仰臥姿勢で後頭部側を挿入したシャンプーボウル内に蒸気を充満させて所定の施術を行う際に用いるシャンプークロスであって、少なくとも前記シャンプーボウルの開口部を覆うことのできる形状の防水性シートの所定位置に顔の輪郭と略同一サイズに開口して前記使用者の顔を露出させるための顔穴が設けられてなる蒸気封止シートが、シャンプークロス本体の所定位置に一部を接続されておりシャンプーボウル内に後頭部側を挿入した前記使用者の頭髪生え際に沿って前記顔穴周縁部を密着させながら顔を外部に露出させた状態で前記シャンプーボウルの開口部を上から覆って封止するものとして、前記シャンプーボウル内の蒸気が外部に漏出することを防止または減少させる、ことを特徴とするシャンプークロス。
【請求項２】
前記蒸気封止シートは、前記顔穴周縁部の所定箇所が前記シャンプークロス本体の首穴周縁部の項側部分に接続されているとともに、該接続箇所に略対向する前記顔穴周縁位置から先端に向かって切り込みを有して先端側が二股に分断されている、ことを特徴とする請求項１に記載したシャンプークロス。
【請求項３】
前記切り込みの両側に所定の係合手段を備えており、分断部分が互いに係合・分離自在とされている、ことを特徴とする請求項２に記載したシャンプークロス。
【請求項４】
前記係合手段は、前記分断部分の重なり量を所定範囲で調整できるものとされ、前記重なり量を調整することで前記顔穴の径が所定範囲で調整可能とされている、ことを特徴とする請求項３に記載したシャンプークロス。
【請求項５】
前記蒸気封止シートは、前記顔穴周縁部の少なくとも一部に前記顔穴の周縁に沿うように弾性部材が設けられ前記顔穴の径を縮小方向に付勢するものとして、装着時に前記顔穴周縁部が収縮し使用者の頭髪生え際に沿って密着するものとされている、ことを特徴とする請求項１，２，３または４に記載したシャンプークロス。
【請求項６】
前記蒸気封止シートは、所定の係止手段でシャンプークロス本体に係止されて接続されており、且つ、前記係止手段で前記シャンプークロス本体から脱着自在とされている、ことを特徴とする請求項１，２，３，４または５に記載したシャンプークロス。
【考案の詳細な説明】
【技術分野】
【０００１】
本考案は、シャンプークロスに関し、殊に、蒸気発生手段を用いて頭髪・頭皮処理促進等の施術を行う際に使用するシャンプークロスに関する。  
【背景技術】
【０００２】
理・美容施設における頭髪・頭皮のトリートメント等の施術に関し、蒸気発生装置（ヘアスチーマ）で生成した蒸気を用いて処理の促進を図ることが知られており、近年では蒸気を充満させた閉鎖空間内に頭部を挿入して蒸気の作用を効率的に発揮させることが行われている。例えば、実開昭５７−７４０４１号公報に記載されているような蒸気発生装置で生成した蒸気を、パイプ等を通じて実登３０３９１３３号公報に記載されているような頭髪用キャップに導入して頭部を覆う閉鎖空間内に充満させることにより、頭髪や頭皮の汚れを除去しやすくしたり処理液の浸透を促進させたりすることに利用されている。
【０００３】
また、例えば特開２００４−４１５号公報に記載されているように、蒸気発生装置と頭部を挿入する頭髪用キャップ（フード）とを一体化した装置も普及しているが、これらには蒸気を生成する機能に加え、冷却風を送出したり低温ミストを生成したりする機能も追加されており、温冷効果により頭髪・頭皮の処理促進を一層効果的なものとしている。さらに最近では、頭髪・頭皮のケア目的に加え、これらの器具・装置を所謂ヘッド・スパの一環としてのリラクゼーション目的や癒し目的にも使用している。
【０００４】
しかし、このように蒸気発生手段を用いた頭髪・頭皮への施術に際して洗髪を伴うのが一般的であるところ、洗髪用のシャンプーボウルの設置場所と、これらの施術のための器具・装置の設置場所は通常異なることから、使用者（利用客）には髪が濡れた状態でこれらの間で移動を強いることになり、施術者（スタッフ）側にも移動の度に余分な手間を必要としていた。そのため、使用者は蒸気を用いた施術の利点は知っていてもその実施に面倒を伴うという印象が強いことから、気軽には利用しにくい状況があった。
【０００５】
一方、リラクゼーション効果や癒し効果を目的とする場合は、使用者が上体を起こした調髪姿勢よりも椅子を倒して仰臥した洗髪姿勢で行う方が有効であり、且つ、移動の手間を要しない等の理由から、洗髪作業の前または後で洗髪姿勢のまま実施できると有利である。そこで、蒸気発生装置からパイプを延長してシャンプーボウルまで頭髪用キャップを持ってきて蒸気を送出する方法も考えられる。しかしながら、シャンプーボウル内に後頭部を挿入する洗髪姿勢のままで使用者に頭髪用キャップを装着することは実際上困難である。
【０００６】
これに対し、特開２００５−１１８３８８号公報には、チェア一体型の洗髪装置に蒸気による頭髪・頭皮処理機能を追加したことで、洗髪の前後で洗髪姿勢のまま蒸気を用いた施術を行えるようにした装置が提示されている。ところが、このように大掛かりで高価な装置は、フロア面積が狭く多額の設備投資が困難な中小の理・美容施設にとっては導入が困難である。そのため、もっと低コストで蒸気を用いた施術を容易に行える手段が望まれていた。
【特許文献１】実開昭５７−７４０４１号公報
【特許文献２】実登３０３９１３３号公報
【特許文献３】特開２００４−４１５号公報
【特許文献４】特開２００５−１１８３８８号公報
【考案の開示】
【考案が解決しようとする課題】
【０００７】
本考案は、上記のような問題点を解決しようとするものであり、蒸気を充満させた閉鎖空間内に頭部を挿入して行う施術について、コストの高騰を伴うことなく洗髪姿勢のままでも簡易に実施できるようにすることを課題とする。
【課題を解決するための手段】
【０００８】
そこで、本考案は、使用者が椅子を倒した仰臥姿勢で後頭部側を挿入したシャンプーボウル内に蒸気を充満させて所定の施術を行う際に用いるシャンプークロスであって、少なくともシャンプーボウルの開口部を覆うことのできる形状の防水性シートの所定位置に顔の輪郭と略同一サイズに開口して使用者の顔を露出させるための顔穴が設けられてなる蒸気封止シートが、シャンプークロス本体の所定位置にその一部を接続されておりシャンプーボウル内に後頭部側を挿入した使用者の頭髪生え際に沿って顔穴周縁部を密着させながら顔を外部に露出させた状態でシャンプーボウルの開口部を上から覆って封止するものとして、シャンプーボウル内の蒸気が外部に漏出することを防止または減少させるものとした。
【０００９】
このように、シャンプークロスにシート状の封止部材を設けた簡易な構成の本考案により、頭髪用キャップ等の器具を用いなくても上からシャンプーボウル開口部を覆って塞ぐだけで、所定の蒸気発生手段によりシャンプーボウル内に充満させた蒸気の外部への漏出を封止することができ、洗髪姿勢のまま頭髪・頭皮処理促進等の施術を低コスト且つ簡易に行えるようになる。しかも、シャンプークロスに蒸気封止シートが所定位置で接続されて一体となっているため、余分な手間を要さずに簡易に装着して施術を実施でき、且つ、仰臥した洗髪姿勢のまま行えることからリラックス効果・癒し効果の増大も期待できるものである。
【００１０】
また、この蒸気封止シートを、顔穴周縁部の所定箇所がシャンプークロス本体の首穴周縁部の項（うなじ）側部分に接続されているとともに、その接続箇所に略対向する顔穴周縁位置から先端に向かって切り込みを有して先端側が二股に分断されているものとすれば、洗髪時に後方下側に垂らした蒸気封止シートを左右から回して洗髪姿勢のまま装着しシャンプーボウル開口部を封止するものとして、蒸気が首の後ろ側から漏出することを防止しやすいものとなる。
【００１１】
さらに、この切り込みの両側に所定の係合手段を備えて分断部分が互いに係合・分離自在とされたものとすれば、封止部材の着脱作業が一層容易なものとなり、その係合手段が分断部分の重なり量を所定範囲で調整可能とされ、重なり量を調整することで顔穴の径が所定範囲で調整できるものとすれば、顔穴を使用者の顔の大きさに適合させて密着させやすいものとなる。
【００１２】
さらにまた、上述したシャンプークロスにおいて蒸気封止シートの顔穴周縁部の少なくとも一部に、顔穴の周縁に沿うように弾性部材が設けられ顔穴の径を縮小方向に付勢するものとして、装着時に顔穴周縁部が収縮し使用者の頭髪生え際に沿って密着するものとすれば、蒸気が顔面を伝って漏出することを確実に防止できるものとなる。
【００１３】
加えて、上述したシャンプークロスにおいて、蒸気封止シートを所定の係止手段でシャンプークロス本体に係止されて接続されたものとし、且つ、この係止手段でシャンプークロス本体から脱着自在としたものとすれば、両者を分離することで通常のシャンプークロスとしての使用において便利であるとともに、洗濯や乾燥作業が容易なものとなる。
【考案の効果】
【００１４】
シャンプーボウル内の蒸気を外部に漏出させないように封止する蒸気封止シートをシャンプークロス本体に設けた本考案によると、簡易な構成でコストの高騰を伴うことなく蒸気を充満させた閉鎖空間に頭部を挿入して行う施術を、洗髪姿勢のまま簡易に実施できるものである。
【考案を実施するための最良の形態】
【００１５】
以下に、図面を参照しながら本考案を実施するための最良の形態を説明する。尚、本考案において蒸気にはミストも含まれるものとする。
【００１６】
図１（Ａ）は、本考案における最良の実施の形態であるシャンプークロス１の平面図を示している。シャンプークロス１は、シャンプークロス本体２の表面側にシャンプーボウル内に充満させた蒸気が漏出するのを封止するための蒸気封止シート３を設けた点を特徴としており、図１（Ｂ）は、本考案を使用する場合に、蒸気封止シート３を開くことでシャンプークロス本体２の表面側および蒸気封止シート３の表面側を露出させた状態を示している。
【００１７】
シャンプークロス本体２は、一般的なシャンプークロスと同様のものであり、防水処理を施した布材の略中央位置に使用者の首を通すための首穴２ａが開口し、その首穴周縁部２２の喉側部分から切り込み２１を有してシャンプークロスの前側が二股に分断されてなるものであり、首穴２ａを開放させることで利用者に装着容易な状態となる。
【００１８】
首穴周縁部２２の切り込み２１左右側には、対の面状ファスナ２３ａ，２３ｂが設けられ、首穴２ａの径を調整可能として使用者の首に首穴周縁部２２を密着させながらシャンプークロス本体２を前合わせ式に装着できるようになっている。そして、この首穴周縁部２２の項側部分には蒸気封止シート３がその一部を接続されて一体となっている。
【００１９】
蒸気封止シート３は、ビニールシートなどの防水性シートを図１（Ｂ）に示すようにシャンプークロス本体２の上面から突出する部分の形状が少なくともシャンプーボウルの窪みで形成された開口部を上から覆って塞げる形状となるようにカットされたものであり、その略中央部分に使用者の顔の輪郭とほぼ同一形状・サイズの顔穴３ａが開口している。また、顔穴３ａの周縁から所定幅で帯状に形成されたドーナツ状の顔穴周縁部３２は、袋縫いとされて顔面に未着しやすいようになっている。
【００２０】
そして、蒸気封止シート３は、顔穴周縁部３２の項側部分がシャンプークロス本体２の首穴周縁部２２の項側部分に、対の面状ファスナ３３ａ，３３ｂで係止されて接続され、この二つの部材が着脱自在とされている。また、顔穴３ａにおいてこの接続部分の対向位置から先端側に向かって切り込み３１が設けられ、蒸気封止シート３の先端側が二股に分断されており、この二つの分断部分は切り込み３１の左右側に設けられた対の面状ファスナ３５ａ，３５ｂおよび３６ａ，３６ｂで係合可能とされている。
【００２１】
さらに、首穴周縁部３２の切り込み３１左右側には、管状の布材の中にゴムベルトを挿通してギャザーを寄せてなる伸縮ベルト３４ａ，３４ｂが首穴３ａの周縁に沿うように設けられ、これらに対の面状ファスナ３７ａ，３７ｂが設けられて、互いに係合できるようになっているが、伸縮ベルト３４ａ，３４ｂを収縮した状態として蒸気封止シート３側の取付部分にギャザーを寄せるか、或いは伸縮ベルト３４ａ，３４ｂの総てを蒸気封止シート３側に取付ないでその基端側だけを取付けるようにすることで、顔穴３ａの径の調整が容易になるとともに、伸縮ベルト３４ａ，３４ｂの伸縮力で顔穴周縁部３２が顔面に密着しやすいものとなる。
【００２２】
次に、本実施の形態の作用について、図２乃至図４を用いて説明する。
【００２３】
図２（Ａ）は、シャンプークロス１を装着した使用者が椅子を倒した仰臥姿勢でシャンプーボウル５内部に後頭部側を挿入して洗髪している状態を示している。この場合、シャンプークロス本体２は通常のシャンプークロスの機能を発揮しているのに対し、蒸気封止シート３は未装着状態で後側下方に垂れ下がっている。このとき、蒸気封止シート３の３対の面状ファスナは未結合状態であり、先端側は二股に分かれた状態である。
【００２４】
図２（Ｂ）は（Ａ）の洗髪後に蒸気を用いた頭髪・頭皮処理などの施術を洗髪姿勢のまま実施するために、蒸気封止シート３を装着した状態を上方から見たものである。この場合、図１（Ａ）において蒸気封止シート３の先端側は二つに分かれたままであるので、これらを左右両側から回して持ち上げ、顔穴３ａが使用者の顔の輪郭（髪の生え際）に密着するように調整して各面状ファスナ３５ａ，３５ｂ，３６ａ，３６ｂ，３７ａ，３７ｂを係合させることは比較的容易である。
【００２５】
図１（Ｃ）は図１（Ｂ）の側方から見た縦断面図を示している。図に示すように、蒸気封止シート３は使用者の顔を外部に露出させながら、シャンプーボウル５の開口部を上から完全に覆っており、所定の蒸気発生装置で生成されパイプ１０で内部に導入した蒸気を外部に漏出しないように封止している。
【００２６】
このように、シャンプーボウル５開口部を蒸気封止シート３で覆って閉鎖空間を形成し、内部に蒸気を導入するだけで蒸気を用いた施術を実施できるものであり、極めて低コストでしかも装置の設置に大きなスペースを要しない。また、シャンプークロス本体２に蒸気封止シート３が接続されて一体となっていることから、洗髪作業の前または後において簡易な手順で洗髪姿勢のまま容易に実施できるものであり、使用者および施術者の手間を大きく軽減でき、しかも仰臥した洗髪姿勢は使用者にとって一層快適な姿勢であるため、優れたリラクゼーション効果・癒し効果が期待できる。
【００２７】
図３（Ａ），（Ｂ）は、蒸気封止シート３の装着の手順を説明するための図であり（装着される使用者は図示しない）、図３（Ａ）に示すように蒸気封止シート３の開いた先端側を左右両側から回して装着するものであるが、各面状ファスナ３５ａ，３５ｂ，３６ａ，３６ｂ，３７ａ，３７ｂには所定の左右幅があるため、その幅内で係合位置を調整できるものであり、図１（Ｂ）に示すように使用者の顔の大きさやシャンプーボウルの形状に合わせて調整しながら係合させて、装着することができる。
【００２８】
この係合手段としての面状ファスナ３５ａ，３５ｂ，３６ａ，３６ｂ，３７ａ，３７ｂの代わりに、ボタンとボタン穴の組合せ、対の紐の組合せ、或いは対のスナップボタンの組合せ等でも実施できるものであるが、係脱が容易で着脱作業が簡易なものが好ましい。
【００２９】
一方、図４に示すように、蒸気封止シート３は、面状ファスナ３３ａ，３３ｂによりシャンプークロス本体２から着脱自在とされるが、このような係止手段を首穴周縁部３２に設ける場合、首の後ろ（項側）がシャンプー台に当接して係止手段が挟まれるため、他の係止手段を設ける場合は挟んでも首が痛くならないものが好ましい。尚、このように蒸気封止シート３を着脱自在としたことで、蒸気封止シート３が蒸気などで濡れた場合の乾燥作業、あるいは汚れた場合の洗濯作業において、手間を軽減できる点で有利である。
【００３０】
また、上述したように蒸気発生装置を用いて蒸気を導入する手段の他に、図５に示すようにシャンプーボウル５内にお湯を溜めて、これから発生する蒸気を用いるようにしても上記同様の施術を行うことができ、蒸気封止シート３を用いてシャンプーボウル５の開口部を覆うことで、蒸気の漏出を防止または減少させることができる。
【００３１】
尚、図６（Ａ）に示すように、シャンプークロス１の蒸気封止シート３の顔穴周縁部３２項側またはシャンプークロス本体２の首穴周縁部２２項側から防水性シートを略半月状にカットしてなる襟濡れ防止シート４０を延設し、使用者が後頭部をシャンプーボウル５内に挿入したとき図６（Ｂ）に示すようにシャンプーボウル５内に垂れ下がるようにすれば、シャンプー時や蒸気使用時に使用者の襟が濡れることを防止することができる。
【００３２】
以上、述べたように簡易な構成の本考案により、蒸気を充満させた閉鎖空間内に頭部を挿入して行う施術において、低コストで蒸気の漏出を簡易に防止または減少させることができ、また、仰臥した洗髪姿勢のままでも実施できるものである。
【図面の簡単な説明】
【００３３】
【図１】（Ａ）は本考案の実施の形態を示す正面図、（Ｂ）は（Ａ）のシャンプークロスの使用時にその蒸気封止シートを開いた状態を示す平面図。
【図２】（Ａ）は図１のシャンプークロスの洗髪時の側面図（一部断面図）、（Ｂ）は蒸気を使用する施術時の平面図、（Ｃ）は（Ｂ）の側面図（一部断面図）。
【図３】（Ａ），（Ｂ）は図１のシャンプークロスの蒸気封止シートの装着手順を説明するための平面図。
【図４】図１のシャンプークロスにおいて、蒸気封止シートを外した状態を示す平面図。
【図５】図１のシャンプークロスの他の使用態様を示す側面図（一部断面図）。
【図６】（Ａ）は、図１のシャンプークロスに襟濡れ防止シートを設けた状態を示す平面図、（Ｂ）はその使用時の側面図（一部断面図）。
【符号の説明】
【００３４】
１  シャンプークロス、２  シャンプークロス本体、２ａ  首穴、３  蒸気封止シート、３ａ  顔穴、５  シャンプーボウル、１０  パイプ、２１，３１  切り込み、２２  首穴周縁部、２３ａ，２３ｂ，３３ａ，３３ｂ，３５ａ，３５ｂ，３６ａ，３６ｂ，３７ａ，３７ｂ  面状ファスナ、３２  顔穴周縁部、３４ａ，３４ｂ  伸縮ベルト、４０  襟濡れ防止シート  
【図１】
0003122766.tif 000003
【図２】
0003122766.tif 000004
【図３】
0003122766.tif 000005
【図４】
0003122766.tif 000006
【図５】
0003122766.tif 000007
【図６】
0003122766.tif 000008